(57)【特許請求の範囲】
【請求項１】
内側小袋と、該内側小袋を囲みかつブロック状端部を有する外側バッグとを有する閉鎖された多壁袋を形成する方法であって、製品を多壁袋に該多壁袋の開放端から充填し終えたのに続いて、
（ｉ）製品を前記内側小袋内に密封し、
（ｉｉ）前記多壁袋の開放端において前記外側バッグの側部を開いて外側に折られた側面フラップと、内側に折られた三角形状のウイングとを形成し、
（ｉｉｉ）一方の前記フラップの外側部分を該フラップの内側部分上に内方に折り畳み、
（ｉｖ）他方のフラップの外側部分を該フラップの内側部分上に内方に折り畳んで部分的に重ね合わされた折り畳み済みのフラップを形成し、それにより外側バッグがブロック状端部を形成するようにし、
（ｖ）該ブロック状端部を接着又はその他の方法で一体的に保持する
方法。
【請求項２】
前記工程（ｉ）が前記多壁袋の開放端領域内の前記内側小袋の部分を横断して延長する線に沿いつつ一体的にプレスすると共に、内側小袋を該線に沿って熱密封処理することにより前記製品を内側小袋内に密封することからなる請求項１に記載の方法。
【請求項３】
更に前記工程（ｉ）の後でかつ前記工程（ｉｉ）の前に、前記密封線よりも上方の前記多壁袋の長さ部分を縁どりする請求項２に記載の方法。
【請求項４】
前記工程（ｖ）が折り畳み済みの前記ブロック状端部上にカバーラベルを接着することからなる請求項１又は２に記載の方法。
【発明の詳細な説明】
本発明は多壁袋に関する。
特に本発明は典型的には紙から形成された外側バッグと、典型的には重合体材料から形成された内側小袋とを具備した多壁袋に関する。
さらに特に本発明は特に限定はしないが、前段落の形式の多壁袋であって、粉ミルク製品のような乾燥食料製品を保存するのに適した多壁袋に関するものである。
公知の乾燥製品用紙／重合体材料製多壁袋は内側ポリエチレン小袋と、ブロック状（即ち四角形状）底端を有する外側紙バッグとを具備する。
ブロック状底端はこの多壁袋の平坦な閉鎖された基部を提供すると共に、多壁袋の外側紙バッグを製造過程において特殊な方法により折り畳む（内側ポリエチレンバッグは折り畳まない）ことにより形成される。この構成は多壁袋が反対側の開放端から充填されたときに、内側ポリエチレン小袋内の乾燥食料製品が折り畳まれた閉鎖端を圧迫して平坦にし、それによりブロック状底端を形成するようになっている。
多壁袋が充填された後、ポリエチレン小袋の開放端は多壁袋の端からわずかばかり間隙を隔てた線に沿いつつポリエチレン材料と共にプレスされると共に熱密封処理されることにより閉鎖される。
次いで、この熱密封線の両側にある外側紙バッグの開放端部分は一体的にプレスされ、次いで折り返されて接着されて多壁袋のつまみ頂端が形成される。
全体の形状について、上記の公知の多壁袋は前側面及び後側面がブロック状底端からつまみ頂端に集束するくさび形である。
この公知の多壁袋は乾燥食料製品を長期保存するという見地からは容認できる特質を有するが、この多壁袋の欠点はくさび形がパレットに積み重ねるのに理想的でないことである。このことはされた多壁袋の目的地への運送に影響を及ぼすので、このことは欠点である。多くの場合、特に輸出産業において、このことは重大な欠点になりうる。
本発明の目的は前段落に記載された欠点の影響を公知の多壁袋と同じように受けることがない多壁袋を提供することにある。
本発明によれば、製品を収容する多壁袋であって、製品を収容する多壁袋であって、
（ａ）製品が充填されて密封される内側小袋と、
（ｂ）密封済みの内側小袋を囲むと共に、ブロック状底端とブロック状頂端とを具備した外側バッグと、
を具備した多壁袋が提供される。
本発明によれば、多壁袋であって、
（ａ）製品が充填されて密封されるようになっている内側小袋と、
（ｂ）ブロック状底端を備えて製造されると共に、内側小袋が製品により充填されて閉鎖された後に閉鎖されてブロック状頂端を形成するようになっている外側バッグと、
を具備した多壁袋が提供される。
上記の充填済みの多壁袋はその長さ部分方向に概ね均一の深さを有し、従って多壁袋をパレットに効果的かつ効率的に積み重ねることができる。
内側小袋及び外側バッグはあらゆる適当な材料から形成されうる。
前記内側小袋を重合体材料から形成するのが好ましい。
前記外側バッグを紙から形成するのが好ましい。
前記外側バッグが複数の紙の層を具備するのが特に好ましい。
前記外側バッグが前記内側小袋の取り出しを容易にする簡易切開装置を含んでいるのが好ましい。
また本発明によれば、内側小袋と、この内側小袋を囲みかつブロック状端部を有する外側バッグとを有する閉鎖された多壁袋を形成する方法であって、製品を多壁袋にこの多壁袋の開放端から充填し終えたのに続いて、
（ｉ）製品を前記内側小袋内に密封し、
（ｉｉ）前記多壁袋の開放端において前記外側バッグの側部を開いて外側に折られた側面フラップと、内側に折られた三角形状のウイングとを形成し、
（ｉｉｉ）一方の前記フラップの外側部分をこのフラップの内側部分上に内方に折り畳み、
（ｉｖ）他方のフラップの外側部分をこのフラップの内側部分上に内方に折り畳んで部分的に重ね合わされた折り畳み済みのフラップを形成し、それにより外側バッグがブロック状端を形成するようにし、
（ｖ）このブロック状端を接着又はその他の方法で一体的に保持する
方法が提供される。
前記工程（ｉ）が前記多壁袋の開放端領域内の前記内側小袋の部分を横断して延長する線に沿いつつ一体的にプレスすると共に、内側小袋をこの線に沿って熱密封処理することにより前記製品を内側小袋内に密封することからなるのが好ましい。
更に前記工程（ｉ）の後でかつ前記工程（ｉｉ）の前に、前記密封線よりも上方の前記多壁袋の長さ部分を縁どりするのが好ましい。
前記工程（ｖ）が折り畳み済みの前記ブロック状端部上にカバーラベルを接着することからなるのが好ましい。
このラベルは簡易切開装置を含んでいてもいなくてもよい。
本発明を添付図面を参照して実例により説明する。
図１は本発明の好ましい実施例による多層袋の側面図、
図２は製品により充填された後でかつ密封される前の図１に示す多壁袋の開放端の頂面図、
図３は図１及び図２に示す多壁袋を密封する工程のシーケンスの好ましい実施例の概略線図、
図４から図６までは本発明の好ましい実施例による図１及び図２に示す多壁袋の開放端の頂面図であり、開放端を閉鎖してブロック状端部の形態とする折り畳み部のシーケンスを示す図、
図７は多壁袋の開放端が閉鎖された後の図１に示す多壁袋の頂端の斜視図である。
本発明による多壁袋の好ましい実施例は重合体材料から形成される内側小袋と、紙から形成される外側多層バッグとから形成される。この多壁袋は適当な他のいかなる材料でも形成することができる。
図７に示すように、多壁袋３は製品が充填されて閉鎖されると、多壁袋の長手方向に沿って概ね均一の深さを有し、外側バッグはブロック状端部５ａ、５ｂを有する。従って、閉鎖済み多壁袋はパレットに効果的かつ効率的に積み重ねるのに適している。
図３から図６までに関連してさらに詳細に説明すると、本発明の好ましい実施例によれば、閉鎖済み多壁袋３は
（ｉ）内側小袋に製品を入れるのを可能にする開放頂端と、ブロック状底端５ａを備えた外側バッグとを有する多壁袋３の製造時のままの形に製品を充填し、
（ｉｉ）多壁袋の内側小袋を密封し、
（ｉｉｉ）多壁袋の閉鎖端を縁どりし、
（ｉｖ）外側バッグを開放頂端において折り畳んでブロック状頂端を形成する工程のシーケンスにより形成される。
図１及び図２はそれぞれ、製品が充填された後でかつ密封される前の多壁袋３の側面図及び頂面図である。図１及び図２を参照すると、参照番号７は多壁袋３の開放端における外側バッグの縁部を示し、参照番号９は充填済み多壁袋３の膨らんだ対向側壁を示している。
この多壁袋はあらゆる適当な手段で製品を充填することができる。
図３から図６は図１及び図２に示す多壁袋３の開放頂端を密封するための工程の好ましいシーケンスを示す。
図３を参照すると、充填済み多壁袋３は充填部署からコンベア組立体２３の入口２１へ移動され、このコンベア組立体は次いで多壁袋３を支持して搬送し、その間に多壁袋３を密封するための工程のシーケンスが実行される。
コンベア組立体２３は互いに平行な一対の連続ベルトを具備し、これらベルトは多壁袋３の開放頂端の対向側部を挟持するように位置決めされている。参照番号３１は挟持線を示す。
図３を参照すると、このシーケンスの第１の工程は多壁袋３の上縁３３と、コンベア組立体２３の挟持線３１との間隔を予め定められた長さに調節することからなる。
シーケンスの次の工程は内側小袋の部分を横断して延長する線に沿いつつ内側小袋を一体的にプレスし、次いで内側小袋をこの線に沿って熱密封処理する。参照番号３５は熱密封部を示す。熱密封線３５の位置は
（ｉ）多壁袋３の上縁３３と挟持線３１との間、
（ｉｉ）内側小袋と外側バッグとを多壁袋３の一側で互いに接着する連続又は不連続の上方及び下方接着線５１、５３の間、かつ
（ｉｉｉ）内側小袋と外側バッグとを多壁袋３の他側で互いに接着する一つの連続又は不連続の上方接着線５１よりも下方
となるように選択される。
シーケンスの次の工程は多壁袋３の頂端を縁どりして下方接着線５３を残しつつ上方接着線５１を除去すると共に、密封線３５よりも上方の外側バッグの長さ部分をブロック状端部を形成するのに好ましい長さにすることからなる。
図４を参照すると、シーケンスの次の工程は外側バッグの上方側部を多壁袋３の開放端の領域において開いて外方に折られた側部フラップ１１と、上方側部を外方に折り曲げた結果として内側に折られた三角形のウイング１３とを形成することからなる。
接着線５３を見ると、内側小袋は内側小袋が接着されている外側バッグの側面と共に折り曲がる。また、この接着線は内側小袋を外側バッグに恒久的に保持するのではなく、外側バッグがブロック状端部で一旦閉鎖されると、内側小袋は外側バッグから分離することができる（分離する）。
図５を参照すると、シーケンスの次の工程は一方のフラップ１１の外側部分をそれ自体上に内側に折り畳んで内側折り畳み部１５を形成することからなる。
図６を参照すると、シーケンスの次の工程は他方のフラップ１１の外側部分をそれ自体上に内側に折り畳むと共に部分的に内側折り畳み部１５と重ね合わせて内側折り畳み部１７を形成することからなる。この工程により多壁袋のブロック状端部の形成が完了せしめられる。
シーケンスの最後の工程は図７に示される折り畳み済みブロック状端部５ｂにカバーラベル１８を接着することからなる。
上記方法の工程を自動的に実行することができる。
図面を参照して以上説明した好ましい実施例に対して、本発明の精神及び範囲から逸脱することなく多くの修正をすることができる。
以下の請求の範囲において、また本発明の上記の説明において、用語「〜を具備する」及び「〜からなる」は用語「〜を含む」という意味で使用され、即ちこれらの単語に関連して参照される特徴が明確には記載されていないその他の特徴にも関連させることができる。
【図１】
0004213220.tif 000002
【図２】
0004213220.tif 000003
【図４】
0004213220.tif 000004
【図５】
0004213220.tif 000005
【図６】
0004213220.tif 000006
【図７】
0004213220.tif 000007
【図３】
0004213220.tif 000008